(57)【要約】【課題】編糸が切り替わる部分で解れ止めを行うにあたり、解れ止めを行う編糸によって他の編目に影響を及ぼさない編糸の解れ止め方法を提供する。【解決手段】編地の編成途中で、第一給糸口から給糸される第一編糸１と第二給糸口４から給糸される第二編糸２とを切り替えることで生じる編糸余端部２９を処理する。第一編糸１又は第二編糸２の一方の編糸１で編成される既編成編地部のうち、一方の針床に係止される特定編目１２に対して割増やしを行い、編糸余端部２９が生じる第二編糸２で第一新規編目２１を形成する。第一新規編目２１に対して第二編糸２で第二新規編目２２を形成し、特定編目１２の一方のシンカーループ１２ａに対して、第一新規編目２１の両シンカーループを交差させる。以上より、特定編目１２の一方のシンカーループ１２ａに、編糸余端部２９から第二新規編目２２に繋がる途中の第二編糸２が引っ掛かり、解れ止めができる。【選択図】図１
2015017352.tif 000002
【特許請求の範囲】
【請求項１】
少なくとも前後一対の針床と、針床に第一編糸と第二編糸の各々を給糸する第一給糸口及び第二給糸口とを有し、前後の針床間で編目の目移しが可能な横編機を用いて、編地の編成途中で、編糸を切り替えることで生じる編糸余端部を処理する編糸の解れ止め方法において、
前記第一編糸又は前記第二編糸の一方の編糸で編成される既編成編地部のうち、一方の針床に係止される特定編目を他方の針床に目移しすると共に、前記編糸余端部が生じる前記第二編糸を前記特定編目から引出し、一方の針床に第一新規編目を形成する割増やしを行う工程αと、
前記第一新規編目に対して前記第二編糸で第二新規編目を形成し、前記特定編目の一方のシンカーループに対して、前記第一新規編目の両シンカーループを交差させる工程εとを備えることを特徴とする編糸の解れ止め方法。
【請求項２】
前記工程αと前記工程εの間に、
他方の針床に目移しされた前記特定編目を一方の針床に目移しする工程βと、
前記第一新規編目を形成する前記第二編糸の給糸口を、前記第一新規編目の形成時とは逆方向に移動させ、前記特定編目を通過させて戻す工程γと、
前記工程βで一方の針床に目移しした前記特定編目を他方の針床に移し戻す工程δとを備えることを特徴とする請求項１に記載の編糸の解れ止め方法。
【請求項３】
前記工程αの前に、
前記工程αでの割増やし後に前記特定編目が所定の編針に係止されるように、前記特定編目を前記所定の編針の針床と対向する針床の編針に目移しする工程ωを備えることを特徴とする請求項１又は請求項２に記載の編糸の解れ止め方法。
【請求項４】
前記工程εの後に、
前記第二新規編目を、前記第二編糸で前記既編成編地部の最終編目列に続いて編成された後続編目又は前記特定編目に重ねる工程ζを備えることを特徴とする請求項１〜請求項３のいずれか１項に記載の編糸の解れ止め方法。
【請求項５】
前記工程εの後に、
前記第二新規編目に対して前記第二編糸で第三新規編目を形成する工程ηを備えることを特徴とする請求項１〜請求項３のいずれか１項に記載の編糸の解れ止め方法。
【請求項６】
前記工程εの後に、
前記第二新規編目に対して前記第一編糸で第一切替編目を形成し、さらに前記第一切替編目に対して前記第一編糸で第二切替編目を形成する工程θを備えることを特徴とする請求項１〜請求項３のいずれか１項に記載の編糸の解れ止め方法。
【請求項７】
少なくとも前後一対の針床と、針床に第一編糸と第二編糸の各々を給糸する第一給糸口及び第二給糸口とを有し、前後の針床間で編目の目移しが可能な横編機を用いて、編糸の切り替えによって生じる編糸余端部が解れ止めされた編地において、
前記第一編糸又は前記第二編糸の一方の編糸で形成された特定編目と、
前記編糸余端部が生じる前記第二編糸で形成された新規編目と、
前記新規編目の一方のシンカーループから延びる第二編糸が、前記特定編目の一方のシンカーループに引っ掛かり、前記新規編目の双方のシンカーループを周回し、この双方のシンカーループを近づく方向に引き締めて形成された固定ループとを備え、
前記編糸余端部は、前記新規編目の他方のシンカーループまたは前記固定ループに繋がる第二編糸であることを特徴とする編地。
【請求項８】
前記新規編目に対して前記第一編糸で形成された第一切替編目と、
前記第一切替編目に対して前記第一編糸で続けて形成された第二切替編目とを備え、
前記新規編目及び前記第一切替編目は、前記特定編目の一方のシンカーループに近づく方向に引き締められ、
前記第一編糸による編糸余端部が、前記新規編目又は前記第一切替編目のループによって固定されていることを特徴とする請求項７に記載の編地。
【発明の詳細な説明】
【技術分野】
【０００１】
本発明は、横編機を用いて編地を編成する際、編地の編成途中で編糸を切り替えることで生じる編糸余端部を処理する編糸の解れ止め方法に関する。
【背景技術】
【０００２】
ボーダー柄やインターシャ柄などを有する編地では、編地の編成途中で編糸の切り替えが行われる。この編糸が切り替わる部分には、切り替え前の編糸で編成された編地部に切り替え後の編糸を導入する糸入れ部と、切り替え前の編糸で編成された編地部の終端からその編糸を引き出す糸出し部とがあり、これら糸入れ部及び糸出し部で編糸が解れ出さないようにする必要がある。本出願人は、この解れ止めを横編機に行わせる編糸の解れ止め方法を提案している(例えば、特許文献１（図２〜図５）を参照)。
【０００３】
特許文献１に記載の解れ止め方法は、糸入れの場合で説明すると、図４に示すように、次のように行われる。
［Ｓ１］切り替え前の編糸（第一編糸１）で前針床（ＦＢ）に編成されたベース編地部１０の特定編目１２を後針床（ＢＢ）に目移しした後、その特定編目１２が係止されていたＦＢの編針Ｃに切り替え後の編糸（第二編糸２）を例えば右行給糸して掛け目２７（第一新規編目２１）を形成する。
［Ｓ２］第二編糸２を給糸する第二給糸口４を左行して掛け目２７を通過させて戻す。
［Ｓ３］掛け目２７をＢＢの編針ｃに目移しし、特定編目１２を掛け目２７が係止されていたＦＢの編針Ｃに移し戻す。
［Ｓ４］第二編糸２を右行給糸し、ＢＢに目移しした掛け目２７に第二新規編目２２を形成する。
［Ｓ５］第二新規編目２２を特定編目１２が係止されている編針Ｃに目移しすることで、重ね目を形成する。その後、この重ね目に第二編糸２で第三新規編目２３を形成して、重ね目を固定する。続けて、ベース編地部１０の編目列に繋がる編目列を第二編糸２で編成して柄編地部２０を形成する。
【０００４】
上記のようにして編成された編地を編機から外した状態では、図２（Ｂ）に示すように、第二新規編目２２の根元部に掛け目２７によって結び目が形成される。第二編糸２の糸入れによって生じた編糸余端部２９を編地から引き出す方向に引っ張り、結び目を引き締めた状態で編糸余端部２９を編地の近傍個所で切断することで、解れ止めができる。
【先行技術文献】
【特許文献】
【０００５】
【特許文献１】特許第３０９９３０４号公報
【発明の概要】
【発明が解決しようとする課題】
【０００６】
特許文献１の技術は、解れ止め処理を適切に行えるものの、結び目を引き締めるに連れて、結び目（掛け目２７）に繋がる第二新規編目２２、及び第二新規編目２２と重ね目を形成する特定編目１２も引き締められ、目面に影響を及ぼす場合がある。
【０００７】
本発明は上記事情に鑑みてなされたもので、その目的の一つは、編糸が切り替わる部分で解れ止めを行うにあたり、解れ止めを行う編糸が他の編目に影響を及ぼさない編糸の解れ止め方法、および編地を提供することにある。
【課題を解決するための手段】
【０００８】
本発明の編糸の解れ止め方法は、少なくとも前後一対の針床と、針床に第一編糸と第二編糸の各々を給糸する第一給糸口及び第二給糸口とを有し、前後の針床間で編目の目移しが可能な横編機を用いて、編地の編成途中で、編糸を切り替えることで生じる編糸余端部を処理する方法であって、以下の工程α及び工程εを備える。
［工程α］…第一編糸又は第二編糸の一方の編糸で編成される既編成編地部のうち、一方の針床に係止される特定編目を他方の針床に目移しすると共に、編糸余端部が生じる第二編糸を特定編目から引出し、一方の針床に第一新規編目を形成する割増やしを行う。
［工程ε］…第一新規編目に対して第二編糸で第二新規編目を形成し、特定編目の一方のシンカーループに対して、第一新規編目の両シンカーループを交差させる。
【０００９】
本発明の編糸の解れ止め方法の一形態として、工程αと工程εの間に、以下の工程β〜工程δを備える形態が挙げられる。
［工程β］…他方の針床に目移しされた特定編目を一方の針床に目移しする。
［工程γ］…第一新規編目を形成する第二編糸の給糸口を、第一新規編目の形成時とは逆方向に移動させ、特定編目を通過させて戻す。
［工程δ］…工程βで一方の針床に目移しした特定編目を他方の針床に移し戻す。
【００１０】
本発明の編糸の解れ止め方法の一形態として、工程αの前に、工程αでの割増やし後に特定編目が所定の編針に係止されるように、特定編目を所定の編針の針床と対向する針床の編針に目移しする工程ωを備える形態が挙げられる。
【００１１】
本発明の編糸の解れ止め方法の一形態として、工程εの後に、第二新規編目を、第二編糸で既編成編地部の最終編目列に続いて編成された後続編目又は特定編目に重ねる工程ζを備える形態が挙げられる。
【００１２】
本発明の編糸の解れ止め方法の一形態として、工程εの後に、第二新規編目に対して第二編糸で第三新規編目を形成する工程ηを備える形態が挙げられる。
【００１３】
本発明の編糸の解れ止め方法の一形態として、工程εの後に、第二新規編目に対して第一編糸で第一切替編目を形成し、さらにこの第一切替編目に対して第一編糸で第二切替編目を形成する工程θを備える形態が挙げられる。
【００１４】
本発明の編地は、少なくとも前後一対の針床と、針床に第一編糸と第二編糸の各々を給糸する第一給糸口及び第二給糸口とを有し、前後の針床間で編目の目移しが可能な横編機を用いて、編糸の切り替えによって生じる編糸余端部が解れ止めされた編地に係る。この本発明の編地は、特定編目と新規編目と固定ループとを備える。特定編目は、第一編糸又は第二編糸の一方の編糸で形成される。新規編目は、編糸余端部が生じる第二編糸で形成される。固定ループは、新規編目の一方のシンカーループから延びる第二編糸が、特定編目の一方のシンカーループに引っ掛かり、新規編目の双方のシンカーループを周回し、この双方のシンカーループを近づく方向に引き締めて形成される。編糸余端部は、新規編目の他方のシンカーループまたは固定ループに繋がる第二編糸である。
【００１５】
本発明の編地の一形態として、新規編目に対して第一編糸で形成された第一切替編目と、この第一切替編目に対して第一編糸で続けて形成された第二切替編目とを備える形態が挙げられる。新規編目及び第一切替編目は、上記特定編目の一方のシンカーループに近づく方向に引き締められ、第一編糸による編糸余端部が、新規編目又は第一切替編目のループによって固定されている。
【発明の効果】
【００１６】
本発明の編糸の解れ止め方法によれば、第二新規編目の一方のシンカーループから延びる第二編糸が、特定編目の一方のシンカーループに引っ掛かり、第二新規編目の双方のシンカーループを周回し、この双方のシンカーループを近づく方向に引き締める。この状態で編糸余端部を編地から引き出す方向に引っ張っても、第一新規編目を編成する編糸が上記シンカーループを締めることになり、特定編目が絞られることがない。よって、編糸余端部に連れて他の編目の目面が崩れることがない。
【００１７】
工程αと工程εの間に、工程β〜工程δを行うことで、目移し用の羽根を有さない複合針の場合でも、特定編目の一方のシンカーループにのみ解れ止めを行うことができる。
【００１８】
工程αの前に特定編目を目移ししておくことで、割増やしによって、既編成編地部の編目を係止する元の編針に特定編目を係止することができ、割増やし後に、特定編目と第一新規編目との入れ替えが不要となり、後の工程を効率よく行うことができる。
【００１９】
工程εの後に第二新規編目をいずれかの編目に重ねることで、解れ止めを容易に確定することができる。
【００２０】
工程εの後に、第二新規編目に対してさらに第三の新規編目を形成することで、第一新規編目及び第二新規編目が縮まって結び目となり、この結び目が特定編目の一方のシンカーループに固定される。この状態で編糸余端部を編地から引き出す方向に引っ張っても、上記結び目により編糸余端部を引っ張った影響が第三新規編目には実質的には及ばない。また、結び目により解れ止めは強固に固定されているため、第三新規編目のループを切断したとしても、解れ止めは解けない。
【００２１】
第一編糸及び第二編糸を用いて糸入れ・糸出しを行う場合、糸入れ・糸出しのそれぞれの過程で生じる編糸余端部について解れ止めを行う必要がある。糸入れ及び糸出しで生じる各編糸余端部の解れ止めを別の箇所で行った場合、各編糸余端部が異なる方向に引かれると、各編糸余端部の解れ止めを行った各編目が異なる方向に引っ張られ、編地の品質が損なわれる虞がある。工程εの後に、第二新規編目に対して第一編糸で編目を形成することで、第二新規編目とこの第二新規編目に対して形成された編目とが、各編糸の編糸余端部を引っ張った際に、同じ特定編目の一方のシンカーループに集約される。よって、糸入れ・糸出しで生じる各編糸余端部の解れ止めを容易に同じ箇所で集約して行うことができる。各編糸余端部を上記シンカーループの同じ箇所に集約することで、各編糸余端部が異なる方向に引かれても、編地の品質が損なわれることを抑制できる。この方法であれば、滑りやすい編糸であっても、容易にかつ確実に解れ止めを行うことができる。
【００２２】
本発明の編地によれば、既編成編地部における特定編目の一方のシンカーループにのみ解れ止めが施されており、特定編目は引き締められていないため、目面に乱れがなく綺麗である。
【００２３】
第一編糸及び第二編糸を用いて糸入れ・糸出しを行う場合、糸入れ・糸出しのそれぞれの過程で生じる編糸余端部が上記シンカーループの同じ箇所に集約されるため、各編糸余端部が異なる方向に引かれても、目面に乱れが生じ難い。
【図面の簡単な説明】
【００２４】
【図１】実施形態１に係る編糸の解れ止め方法を示す編成工程図である。
【図２】（Ａ）は、実施形態１に係る編糸の解れ止め方法によって編成された編目であり、（Ｂ）は、従来に編糸の解れ止め方法によって編成された編目である。
【図３】実施形態３に係る編糸の解れ止め方法を用いて編成された編糸余端部の解れ止め状態を示すループ図である。
【図４】従来の編糸の解れ止め方法を示す編成工程図である。
【発明を実施するための形態】
【００２５】
以下、ベース編地部の途中に柄編地部を有する編地を編成する際、ベース編地部から柄編地部に編糸が切り替わる部分を例にして、本発明の実施形態に係る編糸の解れ止め方法を説明する。
【００２６】
＜実施形態１＞
本発明の実施形態１に係る編糸の解れ止め方法を図１に基づいて説明する。本実施形態１に記載の編成には、左右方向に延び、かつ前後方向に互いに対向する一対の針床を備え、前後の針床間で編目の目移しが可能であると共に、少なくとも一方の針床がラッキング可能な２枚ベッド横編機を用いた。この横編機に備わる編針は、編針の側面に目移し用の羽根を備えず、フックを有する針本体とフックを開閉する２枚のブレードを有するスライダーとを備え、２枚のブレードの間で編目の受け渡しをすることができる複合針である。なお、使用する横編機は、４枚ベッド横編機であってもよい。
【００２７】
図１は、実施形態１に係る編糸の解れ止め方法を示す編成工程図である。図示しない第一給糸口から給糸される第一編糸１（細線）でベース編地部１０を編成し、その編幅方向の途中で第二給糸口４から給糸される第二編糸２（太線）を糸入れして、ベース編地部１０の内部に帯状の柄編地部２０を有する編地を編成する。糸入れを行う場合、ベース編地部１０が既編成編地部に相当する。第一編糸１と第二編糸２とは、色や種類の異なる編糸を利用することができる。この編糸１，２の切り替え時に生じる第二編糸２の編糸余端部２９に対する解れ止めの編成手順を例として説明する。図１の左欄の『Ｓ＋数字』は編成工程の番号を、中欄は各編成工程における針床の編成状態を示す。中欄において、ＦＢは前針床を、ＢＢは後針床を示し、Ａ〜Ｅ、ａ〜ｅの黒点は編針を示す。右欄の左右方向の矢印は給糸口の移動方向（『Ｋ』が付く場合は編成方向）を示し、上下方向の矢印は目移しの方向を示す。なお、編目の移動の際に行われるＦＢ，ＢＢの相対的なラッキング動作の説明は省略し、使用する針数は実際の編成よりも少なくしている。
【００２８】
Ｓ１では、第一給糸口を用いて第一編糸１でＦＢにベース編地部１０が編成され、ＦＢの編針Ｃに係止された編目を特定編目１２として選択し、この特定編目１２をＢＢの編針ｃに目移しした状態を示している（工程ω）。この目移しは、次工程αの割増やし後に特定編目１２を所定の編針（ここでは、ＦＢの編針Ｃ）に係止するための予備手順であり、必須ではない。
【００２９】
Ｓ２では、図の右から左方向に向けて第二給糸口４を移動させて、特定編目１２において割増やしを行う。具体的には、特定編目１２をＦＢの編針Ｃに目移ししながら第二編糸２を特定編目１２から引き出して、ＢＢの編針ｃに第一新規編目２１を形成する（工程α）。
【００３０】
Ｓ３では、ＦＢの編針Ｃに目移しした特定編目１２をＢＢの編針ｂに目移しし（工程β）、第二給糸口４を図の右側に蹴り返して、特定編目１２の右側のシンカーループ１２ａに解れ止めを行うために、特定編目１２よりも右側まで移動させる（工程γ）。工程βにおいて、特定編目１２を目移しする編針は、ＦＢに対向するＢＢの編針で第一新規編目２１が係止される編針ｃ以外であれば特に限定されず、例えばＢＢの編針ａや編針ｄであっても構わない。但し、第一新規編目２１が係止されたＢＢの編針ｃを挟んで左右にそれぞれ三針分の範囲が好ましい。
【００３１】
Ｓ４では、ＢＢの編針ｂに目移しした特定編目１２をＦＢの編針Ｃに移し戻す（工程δ）。このとき、第一新規編目２１が特定編目１２の一方（ここでは、図の右側）のシンカーループ１２ａに引っ掛かった状態で、紙面手前側から奥側に引き出される。ここでは、第一新規編目２１を特定編目１２の右側のシンカーループ１２ａに引っ掛かる状態としたが、特定編目１２の左側のシンカーループ１２ｂに引っ掛からせることもできる。この場合、Ｓ２において、図の左から右方向に向けて第二給糸口４を移動させて、割増やしを行えばよい。本実施形態では、特定編目の左右どちらのシンカーループにでも解れ止めを行うことができる。
【００３２】
Ｓ５では、第二給糸口４を図の左側に移動させながら、第一新規編目２１に対して第二編糸２で第二新規編目２２を形成する（工程ε）。このとき、特定編目１２の右側のシンカーループ１２ａに対して、第一新規編目２１の両シンカーループが交差した状態である。この状態で編糸余端部２９（第二編糸２）を編地の外側に引き出すことで、第一新規編目２１を編成する第二編糸２が引っ張られ、特定編目１２の右側のシンカーループ１２ａを引き締めることになる。具体的には、図２（Ａ）の極太線で示すように、第一新規編目２１が、特定編目１２の右側のシンカーループ１２ａに引っ掛かり、第二新規編目２２の双方のシンカーループを周回する固定ループとなる。この固定ループによって、第二新規編目２２の双方のシンカーループが近づく方向に引き締められる。以上より、特定編目１２の右側のシンカーループ１２ａに、編糸余端部２９から第二新規編目２２に繋がる途中の第二編糸２（固定ループ）が引っ掛かることによって、解れ止めができる。
【００３３】
Ｓ６では、ＦＢの編針Ｂ，Ａに形成されたベース編地部１０の最終編目列の編目に続いて、第二編糸２で後続編目２５を形成し柄編地部２０を編成する。ＢＢの編針ｃに係止された第二新規編目２２をＦＢの編針Ｂに係止された後続編目２５に重ね合わせることで（工程ζ）、Ｓ５で形成した解れ止めを一時的に確定することができる。この重ね目に続いて新たな編目を形成することで、先に一時的に確定した解れ止めを永続的に確定することができる。ここでは、第二新規編目２２を後続編目２５に重ね合わせたが、特定編目１２に重ね合わせることもできる。
【００３４】
以上の方法により編成された編地は、図２（Ａ）に示すように、ベース編地部１０の特定編目１２の右側のシンカーループ１２ａにのみ柄編地部２０を編成する第二編糸２が引っ掛かり、解れ止めがなされている。よって、解れ止めを行う編糸（ここでは、第一新規編目２１）が上記シンカーループ１２ａを引き締めるのみで、引き締めた影響が特定編目１２や、他の編目２５に及ばない。
【００３５】
上述した編糸の解れ止め方法は、ベース編地部１０に対して糸入れした第二編糸２により生じる編糸余端部２９を処理する例を説明したが、編成し終えたベース編地部１０の第一編糸１を引き出す（糸出しする）際に生じる編糸余端部に対しても行うこともできる。糸出しを行う場合、柄編地部を編成する第二編糸による編目に対して行う。この場合、柄編地部が既編成編地部に相当し、柄編地部の特定編目の一方のシンカーループにのみ第一編糸が引っ掛かって解れ止めがなされる。糸出しの場合、編針に係止される最終編目列の任意の編目に対して同様の編成を行えばよく、ベース編地部を編成する第一編糸による編目に対して行うこともできる。この場合、ベース編地部が既編成編地部に相当し、ベース編地部の特定編目の一方のシンカーループにのみ第一編糸が引っ掛かって解れ止めがなされる。
【００３６】
＜実施形態２＞
実施形態１では、第二新規編目２２を後続編目２５に重ね合わせることで解れ止めを確定した。これに対して、第二新規編目に対して同じ第二編糸でさらに第三新規編目を形成して、第三新規編目で特定編目の一方のシンカーループに対して結び目を形成することで解れ止めを行うことができる。実施形態２は、上記結び目を形成する工程ηを工程εの後に備える点のみが実施形態１と異なり、他の工程については実施形態１と同じである。以下、実施形態１との相違点を中心に説明する。
【００３７】
実施形態２では、図１のＳ５において、第一新規編目２１に対して第二新規編目２２を形成した後、第二給糸口４を図の右側に移動させながら、第二新規編目２２に対してさらに第二編糸２で第三新規編目（図示せず）を形成する（工程η）。この状態で、第二編糸２の編糸余端部２９を編地の外側に引き出すことで、第一新規編目及び第二新規編目が引き締められ、両新規編目の編目が縮まって結び目となる。この結び目は、特定編目の右側のシンカーループに対して形成されて、編糸を固定することができる。この状態で編糸余端部を編地から引き出す方向に引っ張っても、上記結び目により編糸余端部を引っ張った影響が第三新規編目には実質的には及ばない。また、編糸により解れ止めは強固に固定されているため、第三新規編目のループを切断したとしても、編糸は解けない。
【００３８】
実施形態２では、第三新規編目が特定編目のシンカーループに結び目を形成して固定されるため、この第三新規編目を他の編目（実施形態１では後続編目）に重ね合わせることによる解れ止めの確定を行う必要がない。重ね目を形成する場合、編糸の種類（素材や太さなど）や両編糸で編成される柄によっては、一方の編糸の編目が他方の編糸による編地側に飛び出したような滲みが生じることがあるが、実施形態２ではその滲みの虞はない。第三新規編目は、そのままループ状で置いてもよいし、ニードルループを切断してもよい。第三新規編目をその第三新規編目を形成した編針にそのまま係止させた状態で、ウエール方向に編地の編成を行うことで、係止された編針によって第三新規編目のニードルループを自然に破断させることもできる。ニードルループを切断しておくと、編地の使用時に第三新規編目を突起物などに引っ掛けることを防止できる。
【００３９】
さらに、第三新規編目に対して第二編糸で第四新規編目を形成してもよい。形成する編目を増やすほど、解れ止めを強固に固定できる。
【００４０】
＜実施形態３＞
実施形態１，２では、第一編糸１でベース編地部１０を編成し、そのベース編地部１０の編幅方向の途中で第二編糸２を糸入れして柄編地部２０を編成する形態を説明した。つまり、第一編糸１と第二編糸２との切り替えを、第二編糸２の糸入れ→第一編糸１の糸出しの順序で行った。この場合、第二編糸２の糸入れ時に生じる第二編糸２の編糸余端部２９の解れ止めは、第一編糸１による特定編目１２のシンカーループ１２ａに対して行った。第一編糸と第二編糸との切り替えは、第一編糸の糸出し→第二編糸の糸入れの順序で行うこともできる。この場合、第一編糸の糸出し時に生じる第一編糸の編糸余端部は、第一編糸による特定編目の一方のシンカーループに対して解れ止めを行う。つまり、切り替えを行う二つの編糸の一方の編糸のみを用いて糸出し時の解れ止めを行う。また、実施形態１，２では、糸入れ・糸出し時に生じる各編糸余端部の解れ止めを同じ方法で行った。これに対して、糸入れ・糸出し時に生じる編糸余端部の解れ止めのうち、先に行う編糸余端部（ここでは、糸出し時に生じる編糸余端部）の解れ止めは、実施形態１，２に記載した方法を行うが、後に行う編糸余端部（ここでは、糸入れ時に生じる編糸余端部）の解れ止めは、実施形態１で記載した方法を用いずに容易に行うことができる。実施形態３では、この糸入れ・糸出しの順序と、後に生じる編糸余端部の解れ止め方法とが実施形態１とは異なり、他の工程については実施形態１と同じである。以下、実施形態１との相違点を中心に説明する。
【００４１】
図３は、実施形態３に係る編糸の解れ止め方法を用いて編成された編糸余端部の解れ止め状態を示すループ図である。まず、第二編糸２(太線)でベース編地部１０を編成し、その編幅方向の途中で第二編糸２を糸出しする。このとき、ベース編地部１０が既編成編地部に相当する。糸出し時に生じる第二編糸２の編糸余端部２９に対する解れ止めは、実施形態１と同様の編成手順で行う。図３に示す編成では、工程αの割増やしを行う前に、一旦特定編目１２を左向きでミスしている。特定編目１２に対する右向きの割増やし編成で第一新規編目２１（ここでは、表目）を形成し、この第一新規編目２１に対して第二編糸２で第二新規編目２２（ここでは、裏目）を形成している。ミス編成を行い、右向きに割増やし編成を行うことで、特定編目１２の左側のシンカーループ１２ｂに対して解れ止めを行うことができるが、このミス編成は必須ではない。
【００４２】
次に、第一編糸１（細線）を糸入れして、第二編糸２で編成したベース編地部１０の最終編目列に続けて第一編糸１で柄編地部２０を編成する。ベース編地部１０の第二新規編目２２に対して第一編糸１で第一切替編目１１１を形成する。続けて、この第一切替編目１１１に対して第一編糸１で第二切替編目１１２を形成する。図３に示す編成では、第一切替編目１１１（ここでは、表目）を左行給糸にて形成後、第一編糸１を給糸する給糸口（図示せず）を一旦右向きに蹴り返し、第一切替編目１１１を対向するＢＢに目移ししている。そして、この目移しした第一切替編目１１１に対して第二切替編目１１２（ここでは、裏目）を左行給糸にて形成している。第一切替編目１１１及び第二切替編目１１２は、表目と裏目のどちらでもよいが、第二新規編目１１２の形成前に蹴り返し・目移しを行い、異なる編目（表目か裏目）を形成することで、第一切替編目１１１に対して第二切替編目１１２を結ぶことができ、解れ止めをより強固に行うことができる。
【００４３】
第二編糸２及び第一編糸１の各編糸余端部２９を編地の外側に引き出すことで、ベース編地部１０の特定編目１２の左側のシンカーループ１２ｂに両編糸余端部２９が集約されて解れ止めを行うことができる。第二編糸２の編糸余端部２９を編地の外側に引き出すと、図３の極太線で示すように、第二新規編目２２の左側のシンカーループから延びる第二編糸２が、特定編目１２の左側のシンカーループに引っ掛かり、第二新規編目２２の双方のシンカーループを周回する固定ループとなる。この固定ループによって、第二新規編目２２の双方のシンカーループが近づく方向に引き締められる。特定編目１２の左側のシンカーループ１２ｂに引っ掛かる固定ループの中を、第二新規編目２２の左側のシンカーループの第二編糸２が挿通することによって、第二新規編目２２に続く第二編糸２の編糸余端部２９の解れ止めができる。第二編糸２の編糸余端部２９の引き出しと同時に、第一編糸１の編糸余端部２９を編地の外側に引き出すと、第一切替編目１１１が、第二切替編目１１２の双方のシンカーループを近づく方向に引き締める。第一編糸１の編糸余端部２９は、第二新規編目２２のループの中を挿通しているため、ベース編地部１０の特定編目１２の左側のシンカーループ１２ｂに対して、第二編糸２及び第一編糸１の各編糸余端部２９が集約されて解れ止めがなされる。
【００４４】
最後に、第二切替編目１１２をベース編地部１０の編目１１５に重ね合わせることで、第二編糸２及び第一編糸１の各編糸余端部２９の解れ止めを一時的に確定することができる。この重ね目に続いて第一編糸１で新たな編目を形成することで、一時的に確定した解れ止めを永続的に確定することができる。ここでは、ベース編地部１０の編目１１５に重ね合わせたが、特定編目１２などの他のベース編地部１０の編目に重ね合わせることもできる。また、第一編糸１で編成した柄編地部２０の編目に重ね合わせることもできる。
【００４５】
ここでは、糸出し及び糸入れで生じる各編糸余端部の解れ止めを、同じ特定編目のシンカーループに集約して行った。これに対して、編糸の切り替えが糸出し→糸入れの順序のときでも、各編糸余端部の解れ止めを、それぞれ別の編目のシンカーループに対して行うこともできる。この場合、糸出し及び糸入れのそれぞれに対して、実施形態１，２と同様の編成手順で解れ止めを行えばよい。
【００４６】
また、糸入れ・糸出し時に生じる各編糸余端部の解れ止めのうち、後に行う編糸余端部の解れ止めは、糸入れ・糸出しの順序にかかわらず、一方の編糸で形成した第二新規編目に対して他方の編糸で編目を形成することで、両編糸の編糸余端部の解れ止めを同じ特定編目のシンカーループに集約して行うことができる。糸入れ→糸出しの順序で編糸の切り替えを行った場合、糸入れした編糸で形成した第二新規編目に対して、糸出しする編糸で編目を形成すればよい。
【００４７】
＜実施形態４＞
実施形態１〜３では、目移し用の羽根を有さない複合針（例えば、特許第５０３２８２２号公報などを参照）を備える横編機を用いた場合の解れ止め方法を説明した。これに対して、羽根針を備える横編機を用いても解れ止めを行うことができる。羽根針は、その一方の側面に目移し用の羽根を備えたべら針（例えば、特許第５０３２８２２号公報などを参照）や、複合針（例えば、特開平５−７８９６２号公報などを参照）で、その羽根を介して対向する針床間で編目の目移しを行う構造を備える。そのため、対向する針床の羽根針のフック同士は針床の長手方向に若干ずれている。このずれによって、羽根針を備える横編機を用いて割増やしを行った場合、特定編目の一方の根元に第一新規編目の両シンカーループが巻き付く。つまり、割増やしを行うと特定編目の一方のシンカーループに第一新規編目が引っ掛かった状態となるため、実施形態１〜３で行った工程β〜工程δ（図１のＳ３及びＳ４）を省略することができる。
【符号の説明】
【００４８】
１  第一編糸  １０  ベース編地部
１２  特定編目  １２ａ，１２ｂ  シンカーループ
２  第二編糸  ２０  柄編地部
２１  第一新規編目  ２２  第二新規編目
２３  第三新規編目
２５  後続編目
２７  掛け目
２９  編糸余端部
１１１  第一切替編目  １１２  第二切替編目
１１５  編目
４  第二給糸口
【図１】
2015017352.tif 000003
【図２】
2015017352.tif 000004
【図３】
2015017352.tif 000005
【図４】
2015017352.tif 000006